(57)【要約】【課題】  薬剤の充填時および戻し時の作業性の良い薬剤カートを提供する。【解決手段】  複数の薬剤１５を起立状態で一列に整列させて収容する上方に開口したカセット１０と、該カセット１０内に最後尾の薬剤１５を前方に向かって押し付ける押付け部材４７とを備えた薬剤カート１において、押付け部材４７の押付け側の端部に、押付け部材４７と最後尾の薬剤１５ｃとの間に薬剤１５を挿入可能なように挿入ガイド部５１を設けた。【選択図】図３
2006110162.tif 000002
【特許請求の範囲】
【請求項１】
複数の薬剤を起立状態で一列に整列させて収容する上方に開口したカセットと、該カセット内に最後尾の薬剤を前方に向かって押し付ける押付け部材とを備えた薬剤カートにおいて、前記押付け部材の押付け側の端部に、前記押付け部材と前記最後尾の薬剤との間に薬剤を挿入可能なように挿入ガイド部を設けたことを特徴とする薬剤カート。
【請求項２】
前記挿入ガイド部は、薬剤の挿入方向から見て円弧状の面を有し、該円弧状の面の曲率半径は薬剤の半径よりも大きいことを特徴とする請求項１に記載の薬剤カート。
【請求項３】
前記挿入ガイド部は、押付け部材を切り欠いて形成されていることを特徴とする請求項１又は２に記載の薬剤カート。
【請求項４】
前記カセットに、最先頭から２番目の薬剤の頭部または肩部の上方を覆う抜止め部材を設けたことを特徴とする請求項１から３のいずれかに記載の薬剤カート。
【発明の詳細な説明】
【技術分野】
【０００１】
本発明は、複数の薬剤を起立状態で一列に整列させて収容したカセットを薬剤の種類毎に多数設けた薬剤カートであって、病院等にて必要な薬剤を最先頭から１つずつ取り出し、あるいは戻せるようにするとともに、取り出した薬剤の個数を計数したり、在庫を管理することができる薬剤カートに関する。
【背景技術】
【０００２】
この種の薬剤カートとして、特許文献１には、取出し側が下になるように傾斜させたカセットに複数の薬品を一列に整列させて収容し、最後尾の薬品に当接する重りによって薬品を前方に付勢し、カセットの前端の角部に設けた出入口から１つずつ薬品を取り出し、または取り出した薬品を戻せるようにした薬品収納装置が提案されている。
【特許文献１】特開２００１−１９８１９４号公報
【発明の開示】
【発明が解決しようとする課題】
【０００３】
しかしながら、特許文献１の薬品収納装置では、カセットの前端の出入口のみが開口しているため、まず重りを奥に押し除けて出入口から薬剤を１つずつ奥の方へずらせながら収容しなければならないため、薬剤の充填作業が煩雑である。また、取り出した薬品を戻すとき、カセットの出入口から露出している最先頭の薬品に戻す薬品を当てて重りの付勢力に抗して全ての薬品を押し上げ、これにより空いたスペースに薬品を押し込むため、薬品を戻すときの作業性が悪い等の問題があった。
【０００４】
本発明はかかる問題点に鑑みてなされたもので、薬剤の充填時および戻し時の作業性の良い薬剤カートを提供することを課題とする。また、薬剤を取り出すときに最先頭から２番目の薬剤が抜け出るのを防止することができる薬剤カートを提供することを目的とするものである。
【課題を解決するための手段】
【０００５】
前記課題を解決するため、本発明は、複数の薬剤を起立状態で一列に整列させて収容する上方に開口したカセットと、該カセット内に最後尾の薬剤を前方に向かって押し付ける押付け部材とを備えた薬剤カートにおいて、前記押付け部材の押付け側の端部に、前記押付け部材と前記最後尾の薬剤との間に薬剤を挿入可能なように挿入ガイド部を設けた。
【０００６】
上記解決手段において、カセットは上方に開口しているため、その広い開口から薬剤を簡単に充填することができる。また、取り出した薬剤は、挿入ガイド部に押し当てることにより、挿入ガイド部に案内されて押付け部材と最後尾の薬剤との間に簡単に挿入することができる。
【０００７】
前記挿入ガイド部は、薬剤の挿入方向から見て円弧状の面を有し、該円弧状の面の曲率半径は薬剤の半径よりも大きいことが好ましい。
【０００８】
前記挿入ガイド部は、押付け部材を切り欠いて形成されていることが好ましい。
【０００９】
前記カセットに、最先頭から２番目の薬剤の頭部または肩部の上方を覆う抜止め部材を設けることが好ましい。これにより、最先頭の薬剤を取り出す際に、２番目の薬剤が摩擦で一緒に持ち上がっても、抜止め部材に阻止される。
【発明の効果】
【００１０】
本発明によれば、押付け部材の押付け側の端部に、該押付け部材と最後尾の薬剤との間に薬剤を挿入可能なように挿入ガイド部を設けたので、カセットの広い開口から薬剤を簡単に充填することができ、また、取り出した薬剤を挿入ガイド部に押し当てるだけで簡単に挿入することができ、薬剤の充填および戻しの作業性が向上する。
【００１１】
また、カセットに最先頭から２番目の薬剤の頭部または肩部の上方を覆う抜止め部材を設けたので、最先頭の薬剤を取り出す際に２番目の薬剤が抜け出るのを防止することができ、薬剤を１つずつ確実に取り出すことができる。
【発明を実施するための最良の形態】
【００１２】
以下、本発明の実施形態を添付図面に従って説明する。
【００１３】
図１は、本発明に係る薬剤カート１の正面図及び側面断面図、図２は図１の薬剤カート１のシャッタ２を閉じた状態の正面図及び側面断面図である。
【００１４】
薬剤カート１は、前面が開口する箱状の本体３を有する。本体３の前面の下半部は垂直で、上半部は後方に傾斜している。本体３の底面には４つのキャスタ４が設けられ、薬剤カート１を移動可能になっている。本体３の下半部には、上下方向に３個の引出体５が前方へ引出し可能に設けられている。これらの引出体５には種々の備品が収納される。本体３の上半部の前面の開口は、図２に示すように、シャッタ２によって閉鎖可能になっている。また、この本体３の上半部には引出ラック６が前方へ引出し可能に設けられている。
【００１５】
前記引出ラック６は、左右の側板７と、上下３段の棚板８とからなっている。各棚板８は左右の側板７に設けたスライドレール９に沿って前方に引出し可能に支持されている。上下３段の棚板８の前端は、１段目が手前にあり、２段目、３段目と上方にゆくにつれて、後方にずれて階段状に配置されている。各棚板８の上面には、それぞれ複数のカセット１０が併設されている。各棚板８の前端には、図４に示すように、前面パネル１１が直立位置（図１（ｂ）の１段目と３段目のカセット１０参照）と水平位置（図１（ｂ）の２段目のカセット１０参照）の間で支軸１１ａを中心として回動可能に取り付けられている。前面パネル１１には、カセット１０と対応する位置にＬＥＤ１２が設けられている。各棚板８の後端にはキャッチ１３が設けられ、該キャッチ１３は棚板８を押し込んだときに側板７に設けたキャッチ受け１４に係合して、棚板８が衝撃等によって不用意に脱出するのを防止している。
【００１６】
各棚板８のカセット１０は、それぞれ異なる薬剤（本実施形態ではアンプル）１５が収容され、収容される薬剤１５に応じて異なる大きさになっているが、基本的構造は同一であるので、以下、いずれか１つのカセット１０について説明する。
【００１７】
カセット１０は、図３に示すように、薬剤１５を一列で整列して収容可能な上方に開口する前後方向に長い箱形状を有する。カセット１０の後部は全部よりも高く形成されている。カセット１０の前端面には、図４に示すように、前記前面パネル１１の裏面の穴１６に係合する突部１７が設けられている。カセット１０の後端面には、棚板８に立設したカセット取付けステー１８のピン１９に係合するピン受け２０が設けられている。ピン１９は、図６（ｂ）に示すように、断面が長円形であってその基台２１の取付中心から偏った位置に設けられ、ピン受け２０は、図６（ａ）に示すように、断面がＵ字形であってその基台２２の取付中心から偏った位置に設けられている。ピン１９とピン受け２１の取付角度は、３６°で１０段階に取り付けることができ、各カセット１０毎に異なる角度で取り付けることで、誤装着を防止することができる。ピン１９とピン受け２０は、１組みに限らず、２組以上設けることができる。カセット１０の後端のピン受け２０の下方には、カセット取付けステー１８に設けた棚側コネクタ２３に電気的に接続するカセット側コネクタ２４が設けられている。カセット１０の後部の上面は、透明なカバー２５で覆われ、該カバー２５に当該カセット１０に収容される薬品の名称や写真が表示されている。カセット１０の前部側面には、カセット１０に収容される最先頭の薬剤１５ａから２番目の薬剤１５ｂの肩部（肩部がない場合は頭部でもよい）の上方を覆う逆Ｌ字形の抜止め部材２６が取り付けられている。
【００１８】
カセット１０の内部底面には、図７に示すように、後述する図１０の定荷重バネ５４の帯板が配設されるとともに押付け部材４７がスライド可能に係合するスライド溝２７と、薬剤１５の大きさに応じてカセット１０の内幅を調整するためのスペーサ２８が装着されるスペーサ取付け溝２９が形成されている。カセット１０の内部側面には、押付け部材４７の振止め突起４９が係合する振止レール３０が形成され、その下方には、スライド抵抗ユニット３１とラックギヤ４６が前後方向に延びるように取り付けられている。
【００１９】
スライド抵抗ユニット３１は、図８，図９に示すように細長い矩形の絶縁基板３２の一端部に、プラス側導体パターン３３、マイナス側導体パターン３４、および検出側導体パターン３５が配設され、マイナス側導体パターン３４は、基板３２の他端側に延びている。基板３２の導体パターン３３，３４，３５の上には両面テープ３６により第１と第２の２つの細長いスライド抵抗板３７，３８が平行に貼り付けられている。第１のスライド抵抗板３７は、マイラーフィルム３９上に抵抗ペースト４０を焼付け、両端部に銀ペースト４１，４２をさらに焼き付けたものである。両端の銀ペースト４１，４２間の抵抗ペースト４０の抵抗は１０Ωである。第２スライド抵抗板３８も、同様に、マイラーフィルム３９上に抵抗ペースト４３を焼き付け、一端部から一方の側縁部を通って他端部まで銀ペースト４４を焼き付けたものである。第１スライド抵抗板３７の一端の銀ペースト４１は、プラス側導体パターン３３に金具４５を介して接続され、他端の銀ペースト４２は、金具４５を介してマイナス側導体パターン３４に接続されている。第２スライド抵抗板３８の銀ペースト４４は金具４５を介して検出側導体パターン３５に接続されている。このスライド抵抗ユニット３１のプラス側導体パターン３３は図１２に示すように５Ｖの定電圧電源のＶｃｃ端子に接続され、マイナス側導体パターン３４は接地され、検出用導体パターン３５は制御装置１００の検出端子に接続されている。
【００２０】
カセット１０内に一列で整列して収容される薬剤１５は、押付け部材４７によって前面側に向かって押し付けられている。押付け部材４６は図１０に示すように矩形の板状で、下面には前記カセット１０のスライド溝２７に係合する係合突部４８が形成され、側面には前記カセット１０の振止めレール３０に係合する振止め突起４９が形成されている。押付け部材４７の前端上方角部は斜めに切除されて傾斜面５０が形成されている。この傾斜面５０には、薬剤の挿入方向から見て円弧状の面からなる挿入ガイド部５１が形成されている。傾斜面５０の角度は、上方から薬剤１５を挿入する際に必ず薬剤１５が挿入ガイド５１と接触するように設定されている。また、挿入ガイド部５１の円弧面の曲率半径は、薬剤１５の半径より大きくなっている。挿入ガイド部５１は押付け部材４７の前端面に連続している。押付け部材４７の底には凹部５２ａが形成され、該凹部５２ａに定荷重バネ５３が収容されている。定荷重バネ５３は、巻回された長尺の帯板からなり、先端を引き出すと一定の力で元に戻るもので、商業的に入手可能なコンストン（登録商標）等が使用されている。定荷重バネ５３の帯板は、図１１に示すように、前記カセット１０のスライド溝２７に沿って配設され、その先端はカセット１０の前端側に固定されている。押付け部材４７の後端面に設けたＬ字形の突出部４７ａには、前記カセット１０のラックギヤ４６に噛合するピニオンギヤ５４と該ピニオンギヤ５４に連結されたオイルダンパ５５が設けられている。ピニオンギヤ５４は、オイルダンパ５５の働きにより回転時に負荷がかかるようになっている。これにより、定荷重バネ５３の付勢力により押付け部材４７が急に移動して収容した薬剤１５に衝突するといった不具合の発生を防止することができる。
【００２１】
押付け部材４７の側面の前記振止め突起４９の下方には凹部５２ｂが形成され、該凹部５２ｂに前記スライド抵抗ユニット３１に摺接する１対のブラシ５６が取り付けられている。このブラシ５６は、導電体からなる板状の基部５７と、該基部５７に取り付けられ互いに平行な導電体でかつ弾性体である摺動部５８，５９とからなっている。このブラシ５６は、図１１に示すように、基部５７を押付け部材４７に取り付けることで、摺動部５８，５９の先端部が前記スライド抵抗ユニット３１の第１と第２のスライド抵抗板３７，３８にスライド可能に圧接するようになっている。摺動部５８，５９の先端は切込み６０が形成され、多少傾いてもスライド抵抗板３７，３８に均一に接触するようになっている。
【００２２】
以上の構成からなる薬剤カート１において、薬剤１５を収納するには、前面パネル１１を開いてカセット１０を棚板８から取り出し、押付け部材４７を後方に移動させ、押付け部材４７とカセット１０の前端の間に所用数の薬剤１５を収容する。薬剤１５は押付け部材４７によって前方に押し付けられる。
【００２３】
カセット３を棚板８に装着すると、カセット側コネクタ２４と棚側コネクタ２３が電気的に接触して、棚板８側からカセット１０のスライド抵抗ユニット３１に電圧が供給される。押付け部材４７のブラシ５６は第１と第２のスライド抵抗板３７，３８上を摺動し、薬剤１５の数量に応じた位置で停止する。ブラシ５６の停止位置をＰとすると、図１２に示すように、Ｐ位置にあるブラシ５６を介してＶｐ＝Ｒ２／Ｒの分圧が制御装置１００に入力される。制御装置１００は記憶装置に記憶した電圧又は演算条件を読み出し、演算装置で検出電圧に相当する薬剤個数を演算し、その結果を現在の薬剤個数として出力する。
【００２４】
薬剤カート１をホストコンピュータに接続した場合は当該ホストコンピュータから送信される処方情報、またはスタンドアロンの場合はバーコードリーダやキーボードで入力された処方情報に基づいて、処方に必要な薬剤１５が収容されたカセット１０に対応する前面パネル１１のＬＥＤ１２が点灯又は点滅する。なお、薬剤１５が欠品したときもＬＥＤ１２が点滅又は点灯する。
【００２５】
薬剤１５の取り出しは、カセット１０の最先頭の薬剤１５ａを持って上方に引き抜けばよい。このとき、２番目の薬剤１５ｂが摩擦により最先頭の薬剤１５ａとともに抜け出ようとすることがあるが、２番目の薬剤１５ｂは抜止め部材２６にあたって抜け出るのが阻止される。最先頭の薬剤１５ａを取り出すと押付け部材４７によって薬剤１５の列が前方に押し付けられ、２番目にあった薬剤１５ｂが最先頭にくる。このようにして、必要な数の薬剤１５を順次取り出すことができる。なお、上下３段の棚板８は、１段目、２段目、３段目と上方にゆくにつれて後方にずれて階段状に配置されているので、下方の１段目の棚板８のカセット１０から薬剤１５を取り出す場合、２段目の棚板８が邪魔にならない。
【００２６】
薬剤１５ａを取り間違えたり、余分に取り出したときは、当該薬剤１５ａをカセット１０に戻す必要がある。この場合、図３に示すように、薬剤１５の底を押付け部材４７の挿入ガイド部５１に沿って押し込んでゆくと、薬剤１５は最後尾の薬剤１５ｃと押付け部材４７の間に挿入され、最後尾となる。
【００２７】
このように、前記薬剤カート１は、薬剤１５を１個づつ確実に取り出すことができるとともに、一旦取り出した薬剤１５ａも簡単にカセット１０に戻すことができるので、薬剤１５の充填時および戻し時の作業性がよい。
【００２８】
なお、薬剤カート１を使用しないときは、シャッタ２を閉じておけば、権限の無い第三者が薬剤１５を取り出すことができないので、安全である。また、シャッタ２を閉じると、薬剤カート１の電源が落ちるようにしておくことが好ましい。
【００２９】
前記実施形態において、薬剤カート１の本体の上面に表示パネルを設け、該表示パネルに取り出した薬剤１５の画像や名称とその数を表示することで、取り出した薬剤と表示パネルの表示を照合できるようにしてもよい。
【図面の簡単な説明】
【００３０】
【図１】（ａ）は本発明に係る薬剤カートの正面図、（ａ）はその側面断面図
【図２】（ａ）は図１の薬剤カートのシャッタを閉じた状態の正面図、（ａ）はその側面断面図
【図３】カセットの斜視図。
【図４】カセットの側面図。
【図５】カセットの上方から見た図。
【図６】カセットのピンおよびピン受けの正面図。
【図７】カセットの断面図。
【図８】スライド抵抗ユニットの平面図。
【図９】図８のスライド抵抗ユニットの分解斜視図。
【図１０】（ａ）は押付け部材の側面図、（ｂ）はその背面図、（ｃ）は平面図。
【図１１】カセットの縦断面図。
【図１２】スライド抵抗ユニットを用いた測定装置の回路図。
【符号の説明】
【００３１】
１  薬剤カート
１０  カセット
１５  薬剤
２６  抜止め部材
４７  押付け部材
５１  挿入ガイド部
【図１】
2006110162.tif 000003
【図２】
2006110162.tif 000004
【図３】
2006110162.tif 000005
【図４】
2006110162.tif 000006
【図５】
2006110162.tif 000007
【図６】
2006110162.tif 000008
【図７】
2006110162.tif 000009
【図８】
2006110162.tif 000010
【図９】
2006110162.tif 000011
【図１０】
2006110162.tif 000012
【図１１】
2006110162.tif 000013
【図１２】
2006110162.tif 000014